(57)【要約】    【課題】  視覚障害者でも情報の識別が可能なよう、点字の表示を可能とした点字用の印字記録媒体およびその作製装置を提供することを課題とする。【解決手段】  表面に、感熱発色層２５ａが形成されている。さらに、裏面に粘着剤層２６ａが形成されるとともに、表面側に印字領域２８および点字領域２７が形成された記録基材本体２２と、点字領域２７のみに積層された変形補助基材２３と、を備えることを特徴とする点字用の印字記録媒体２１である。【選択図】  図７
2013215948.tif 000002
【特許請求の範囲】
【請求項１】
表面に、感熱発色層が、かつ、裏面に粘着剤層が形成されるとともに、表面側に印字領域および点字領域が形成された記録基材本体と、
前記点字領域のみに積層された変形補助基材と、
を備えることを特徴とする点字用の印字記録媒体。
【請求項２】
前記変形補助基材は、前記記録基材本体の点字領域の裏面に積層されることを特徴とする請求項１に記載の点字用の印字記録媒体。
【請求項３】
前記変形補助基材は、前記記録基材本体の点字領域の表面に積層されることを特徴とする請求項１に記載の点字用の印字記録媒体。
【請求項４】
表面に、感熱発色層が形成されるとともに、表面側に印字領域および点字領域が形成された記録基材本体と、
前記点字領域のみに積層された変形補助基材と、
を備えることを特徴とする点字用の印字記録媒体。
【請求項５】
表面に、感熱発色層が形成されるとともに、表面側に印字領域および点字領域が形成された記録基材本体と、
前記点字領域のみに積層された変形補助基材と、
を備えた点字用の印字記録媒体を装着・供給する供給手段と、
前記供給手段より供給された前記印字記録媒体の記録基材本体の表面に少なくとも商品名や患者名などの情報を印字する印字手段と、を備えた印字装置と、
前記点字領域に少なくとも商品の価格や患者ＩＤなどの情報を点字で打刻する点字打刻装置と、
を備えることを特徴とする点字用の印字記録媒体の作製装置。
【請求項６】
前記点字打刻装置は、打刻部と、打刻受け部と、進退動手段とを備え、
前記打刻部と前記打刻受け部の間に搬送された前記記録基材本体に対し、前記進退動手段の進出を介して打刻部を打刻受け部に向けて進出させ、前記点字領域に点字を施すことを特徴とする請求項５に記載の点字用の印字記録媒体の作製装置。
【発明の詳細な説明】
【技術分野】
【０００１】
本発明は、特に、視覚障害者でも情報の識別が可能なよう、点字の表示を可能にした点字用の印字記録媒体およびその作製装置に関する。
【背景技術】
【０００２】
近年、視覚障害者や視力が衰えているお年寄りの生活範囲が次第に広くなり、スーパーなどの買い物も1人で行う機会が増えてきた。広がる視覚障害者の生活活動を助けるためには、晴眼者が日常的に扱う商品等は、視覚障害者にも同様に扱えるようにする必要がある、
上記を踏まえ、晴眼者（視覚健常者）および視覚障害者の双方に対して、印字内容を案内することができる感熱印字媒体が開発されている（例えば、特許文献１参照)。
特許文献１の感熱印字媒体は、一方の面に所定の印加エネルギーを印加することにより発色する感熱発色層を有し、他方の面に、所定の熱エネルギーが印加されることにより発泡する発泡層を形成している。そして、発泡層に対して熱エネルギーを所定のパターンで印加することにより、発泡層を点字のパターンで隆起させ、健常者および視覚障害者の双方に対して印字内容を案内できるようにしている。
しかしながら、この感熱記録媒体は、一方の面（表面側）に視覚健常者（晴眼者）が確認可能な文字や記号等が印字され、また、他方の面（裏面側）に視覚障害者が確認可能な隆起した点字が形成されるため、レシートなどには有効なものの、基材の裏面側に粘着剤を有するラベルや人の手首などに巻き付けて利用するリストバンドには不向きであった。すなわち、基材の裏面に発泡層を備える特許文献１の感熱記録媒体では、粘着剤を介して商品に貼り付けて表示することができないため、商品に貼り付けた状態で視覚障害者および健常者の双方に印字内容を案内できないという問題がある。
また、感熱発色層を備える面とは異なる他方の面に形成された発泡層に点字のパターンを隆起させると、リストバンドに用いた場合、肌に触れる面に点字の凸部が形成されるため肌に刺激を与える虞があり、特に、乳幼児や皮膚が弱い人には不向きであるとともに、裏面の点字が表面側から確認できないという問題があった。
このため、視覚障害者および晴眼者（視覚健常者）の双方に印字内容を案内できる印字記録媒体の開発が望まれた。
【先行技術文献】
【特許文献】
【０００３】
【特許文献１】特開２００１−９６９１６号
【発明の概要】
【発明が解決しようとする課題】
【０００４】
本発明は、上記の諸問題に着目して成されたものであり、視覚障害者でも情報の識別が可能なよう、点字の表示を可能とした点字用の印字記録媒体およびその作製装置を提供することを課題とする。
【課題を解決するための手段】
【０００５】
本発明の第１の発明に係る点字用の印字記録媒体は、表面に、感熱発色層が、かつ、裏面に粘着剤層が形成されるとともに、表面側に印字領域および点字領域が形成された記録基材本体と、前記点字領域のみに積層された変形補助基材と、を備えることを特徴とする。
また、変形補助基材は、記録基材本体の点字領域の裏面に積層されるようにできる。
また、変形補助基材は、記録基材本体の点字領域の表面に積層されるようにできる。
第２の発明に係る点字用の印字記録媒体は、表面に、感熱発色層が形成されるとともに、表面側に印字領域および点字領域が形成された記録基材本体と、前記点字領域のみに積層された変形補助基材と、を備えることを特徴とする。
さらに、第３の発明に係る点字用の印字記録媒体の作製装置は、表面に、感熱発色層が形成されるとともに、表面側に印字領域および点字領域が形成された記録基材本体と、前記点字領域のみに積層された変形補助基材と、を備えた点字用の印字記録媒体を装着・供給する供給手段と、前記供給手段より供給された前記印字記録媒体の記録基材本体の表面に少なくとも商品名や患者名などの情報を印字する印字手段と、を備えた印字装置と、前記点字領域に少なくとも商品の価格や患者ＩＤなどの情報を点字で打刻する点字打刻装置と、を備えることを特徴とする。
また、点字打刻装置は、打刻部と、打刻受け部と、進退動手段とを備え、打刻部と打刻受け部の間に搬送された記録基材本体に対し、進退動手段の進出を介して打刻部を打刻受け部に向けて進出させ、点字領域に点字を施すようにできる。
【発明の効果】
【０００６】
本発明の第１の発明に係る点字用の印字記録媒体は、表面に、感熱発色層が、かつ、裏面に粘着剤層が形成されるとともに、表面側に印字領域および点字領域が形成された記録基材本体と、点字領域のみに積層された変形補助基材と、を備えるようにしたので、印字領域に目視可能な印字が施せ、かつ、点字領域に点字が施せるので、晴眼者だけでなく、視覚障害者であっても内容を確認できるという効果がある。
また、変形補助基材を、記録基材本体の点字領域の裏面に積層させるようにすれば、記録基材本体の表面は、全面にわたって印字が可能となる。
また、変形補助基材を、記録基材本体の点字領域の表面に積層されるようにすれば、点字領域が記録基材本体の表面に段差をもって突き出ているので、点字領域が判断し易くなるとともに、裏面が平坦になるため、被貼付物への貼付け・表示が容易、かつ、確実となる。
第２の発明に係る印字記録媒体は、表面に、感熱発色層が形成されるとともに、表面側に印字領域および点字領域が形成された記録基材本体と、点字領域のみに積層された変形補助基材と、を備えるようにしたので、晴眼者だけでなく、視覚障害者であっても内容を確認できるという効果がある。
第３の発明に係る点字用の印字記録媒体の作製装置は、表面に、感熱発色層が形成されるとともに、表面側に印字領域および点字領域が形成された記録基材本体と、点字領域のみに積層された変形補助基材と、を備えた点字用の印字記録媒体を装着・供給する供給手段と、供給手段より供給された印字記録媒体の記録基材本体の表面に少なくとも商品名や患者名などの情報を印字する印字手段と、を備えた印字装置と、点字領域に少なくとも商品の価格や患者ＩＤなどの情報を点字で打刻する点字打刻装置と、を備えるようにしたので、印字手段にて晴眼者が識別可能な所望情報が印字でき、かつ、点字打刻装置にて視覚障害者が識別可能な所望情報が点字で打刻できるため、晴眼者だけでなく視覚障害者であっても所望情報の識別が可能な点字用の印字記録媒体が作製できるという効果がある。
さらに、点字打刻装置を、打刻部と、打刻受け部と、進退動手段とを備えるようにし、打刻部と打刻受け部の間に搬送された記録基材本体に対し、進退動手段の進出を介して打刻部を打刻受け部に向けて進出させ、点字領域に点字を施すようにすれば、簡単な構成で打刻部と打刻受け部の間に搬送された記録基材本体に対し、点字が施せる。
【図面の簡単な説明】
【０００７】
【図１】本発明に係る印字記録媒体の作製装置の一実施の形態の構成例を示す概略説明図である。
【図２】同、点字打刻装置の概略側面説明図である。
【図３】同、図２中、矢示ＩＩＩ方向より見た点字打刻装置の平面説明図である。
【図４】同、作製装置の電気的な構成例を示すブロック図である。
【図５】本発明に係る点字用の印字記録媒体の一実施の形態の構成例を示す平面説明図である。
【図６】同、図５中、矢示ＶＩ−ＶＩ線に沿う概略断面図である。
【図７】同、作製装置で作製された印字記録媒体の概略説明図である。
【図８】同、点字用の印字記録媒体の第２の実施の形態の構成例を示す図５相当の平面説明図である。
【図９】同、図８中、矢示ＩＸ−ＩＸ線に沿う図６相当の概略断面図である。
【図１０】同、点字用の印字記録媒体の第３の実施の形態の構成例を示す図５相当の平面説明図である。
【図１１】同、図１０中、矢示ＸＩ方向より見た概略側面図である。
【図１２】同、点字用の印字記録媒体の第４の実施の形態の構成例を示す図５相当の平面説明図である。
【図１３】同、図１２中、矢示ＸＩＩＩ方向より見た概略側面図である。
【発明を実施するための最良の形態】
【０００８】
本発明に係る点字用の印字記録媒体およびその作製装置につき、図１ないし図７に基づき説明する。
図１に示すように、点字用の印字記録媒体の作製装置１は、主に、印字装置２と、点字打刻装置３とを備える。
印字装置２は、後述する印字記録媒体２１を装着・供給する供給手段としての供給軸４と、位置検出手段としての反射センサ５と、印字手段としての印字部６と、各部を制御する制御手段としての制御部７とを備える。
【０００９】
ここで、主に、図５および図６に基づき、印字記録媒体２１の一実施の形態につき説明する。
印字記録媒体２１は、「ラベル」としての記録基材本体２２が、長尺状の台紙２４に連続して仮着して設けられた「記録媒体連続体」であり、変形補助基材２３を備えている。
【００１０】
記録基材本体２２は、表面の全面に感熱発色層２５ａが形成されるとともに、裏面に接着剤層２５ｂが形成された第１の記録基材２５と、この第１の記録基材２５に対し前記裏面の接着剤層２５ｂを介して剥離不能に積層されるとともに、裏面（図６における下部側）に粘着剤層２６ａが形成された第２の記録基材２６とを備えており、第１および第２の記録基材２５、２６はほぼ同じ大きさとされている。
【００１１】
変形補助基材２３は、不織布、ステンレス系樹脂などで作製されており、前記第１および第２の記録基材２５、２６より小さい大きさ（サイズ）に形成されるとともに、前記第１および第２の記録基材２５、２６の間の幅方向Ｗに挟み込まれた状態で設けられている。すなわち、前記第１の記録基材２５裏面の接着剤層２５ｂにより第１および第２の記録基材２５、２６の間に「サンドイッチ状」に積層されるものであり、記録基材２５、２６より小さい大きさ（サイズ）の、変形補助基材２３が挟み込まれた箇所が点字領域２７とされ、また、全面に感熱発色層２５ａが形成された第１の記録基材２５の表面が印字領域２８とされる。
なお、第２の記録基材２６の表面（図６における上部側）、もしくは、変形補助基材２３の裏面（第２の記録基材２６側）に図示省略の接着剤層を設け、前記第１および第２の記録基材２５、２６の間に挟み込まれた変形補助基材２３の接着性を向上させ、剥離不能とすることは自由である。
【００１２】
台紙２４は、表面（図６における上部側）に離型剤が塗布されており、また、裏面には等間隔に識別マーク２９が印刷されている。
【００１３】
第１および第２の記録基材２５、２６を備えた記録基材本体２２は、第２の記録基材２６の裏面に形成された粘着剤層２６ａを介して台紙２４に仮着されており、粘着剤層２６ａより剥がして図示省略の被貼付物に対し貼り付けて表示できるようになっている。
なお、変形補助基材２３は、後述の打刻装置３によりピンを介して打刻した際、打刻の圧力を効率よく第１の記録基材２５に伝達するとともに、打刻した際の凸部が元の平坦状に戻りにくいように設けられたものであり、第１の記録基材２５の表面に適正な高さの凸部（点字）が形成できるようになっている（詳細は、後述する）。
【００１４】
図１に戻って、反射センサ５は、所定の光を出射する発光部５ａと、その光を受光する受光部５ｂとから構成され、発光部５ａおよび受光部５ｂは、前記印字記録媒体２１の台紙２４の識別マーク２９を検出するよう、供給軸４と印字部６との間に配置されている。
印字部６は、サーマルヘッド８およびプラテンローラ（以下、適宜、単に「プラテン」と称す）９を備えており、プラテン９は、ステッピングモータ（以下、適宜、単に「モータ」と称す）１０との間にベルト１１を介して接続されている。
制御部７は、前記各部と接続されており、各部の動作が制御できるようになっている。
なお、供給軸４に装着した「記録媒体連続体」としての印字記録媒体２１は印字部６側へ引き出し、反射センサ５を経てサーマルヘッド８およびプラテン９の間に挟持し、発行口１２側に引出す。そして、サーマルヘッド８により押圧してモータ１０を回転させると、ベルト１１を介してモータ１０の回転がプラテン９に伝わり、サーマルヘッド８との間に挟持された印字記録媒体２１は、発行口１２側へ搬送されつつサーマルヘッド８により印字領域２８に所望の情報が印字されるようになっている。
【００１５】
次に、主に、図２および図３に基づき、点字打刻装置３につき説明する。
点字打刻装置３は、印字装置２の発行口１２の下流に近接して設けられており、主に、打刻部１３と、打刻受け部１４と、進退動手段１５とから構成されている。
打刻部１３は、前記記録基材本体２２の点字領域２７に点字用の凸部（後述する）を打刻する打刻凸部（ピン部）１６を備えており、この打刻凸部１６の頭部は、図示省略の打刻した点字用の凸部の形状がドーム型となるように丸みを帯びて形成されている。
打刻受け部１４には、前記打刻凸部１６と対向する面に、打刻凸部１６の突き上げ（打刻）を受ける打刻受け凹部１７が形成されており、この打刻受け凹部１７は、前記打刻凸部１６頭部のドーム型形状に合わせた凹型とされている。
なお、本実施の形態おいて、打刻部１３および打刻受け部１４は、主に、図３に示すように、縦（Ｙ方向）３個と横（Ｘ方向）２個の、計６個の点で１マスが構成された６点点字を例として説明する。
【００１６】
進退動手段としての進退動部１５は、回転自在なカム１８と、進退動バー１９とを備え、進退動バー１９は、前記打刻凸部１６とカム１８との間に介在し、前記打刻受け凹部１７に対して打刻凸部１６を進退動自在とするようになっている。すなわち、点字文字を形成する点字用の凸部（後述する）を打刻するに際し、所望の打刻凸部１６のカム１８を選択的に駆動・回転させると、進退動バー１９の尾部（図２における下端部）がカム１８に押されて進出し進退動バー１９の頭部（図２における上端部）に取り付けられた前記打刻凸部１６を突き上げ、打刻受け凹部１７に押し付けるようになっており、打刻部１３および打刻受け部１４の間に印字記録媒体２１（図２において、想像線にて示してある）が搬送されていると所望の点字が打刻されるようになっている（図２（ａ））。
なお、回転動作により進退動バー１９を介して打刻凸部１６を進出させたカム１８は回転を続け、元の位置に戻るとともに、カム１８と進退動バー１９の尾部との係合が解除され、進退動バー１９の頭部に取り付けられた打刻凸部１６は元の位置（図２（ｂ））に復帰するようになっている。
【００１７】
次に、主に、図４に基づき、制御部７につき説明する。
制御部７は、主に、各部を制御するＣＰＵ（ｃｅｎｔｒａｌ  ｐｒｏｃｅｓｓｉｎｇ  ｕｎｉｔ）３１と、ＣＰＵ３１の動作を制御する制御プログラムや各種データを記憶するＲＯＭ（ｒｅａｄ  ｏｎｌｙ  ｍｅｍｏｒｙ）３２と、一時的にデータなどを記憶するＲＡＭ（ｒａｎｄｏｍ  ａｃｃｅｓｓ  ｍｅｍｏｒｙ）３３と、ＣＰＵ３１から供給される印字すべき文字、図形などの印字データに対応する信号を生成し、この制御信号を前記サーマルヘッド８に供給して印字動作を行わせるサーマルヘッド制御部３４と、ＣＰＵ３１の制御下、前記反射センサ５の信号を制御するセンサ制御部３５と、前記モータ１０にパルス信号を供給し、モータ１０を回転させるモータ制御部３６と、前記点字打刻装置３を制御する点字打刻制御部３７と、外部インタフェース（外部Ｉ／Ｆ）３８とを備えており、各部はバス３９によって接続され、ＣＰＵ３１の制御下、データやコマンドの送受信を行うことができるようになっている。
また、前記外部インタフェース３８を介してパーソナルコンピュータ（ＰＣ）４０等の各種機器と印字装置２は接続されており、ＰＣ４０と印字装置２との間で各種データやコマンドの送受信を行うことができるようになっている。
【００１８】
なお、前記制御部７では、主に、以下のような制御が図れるようになっている。
１）ＰＣ４０より外部インタフェース３８を介して商品や食料品等情報のデータを受信し、かつ、印字装置２より受信終了等の信号を送信する。また、印字コマンド等のコマンドの送受信を行う。
２）商品や食料品等情報のデータに基づき、印字データを生成する。
３）商品や食料品等情報のデータに基づき、点字データを生成する。
４）モータ１０を制御して印字位置に印字記録媒体２１を搬送するとともに、印字部６を制御し、サーマルヘッド８を介して記録基材本体２２の印字領域２８に所望の印字を行う。
５）印字が済んだ印字記録媒体２１を点字打刻装置３に搬送し、記録基材本体２２の点字領域２７に所望の点字を行う。
【００１９】
次に、主に、図１ないし図７に基づき、点字用の印字記録媒体２１の作製方法につき説明する。
供給軸４に印字記録媒体（記録媒体連続体）２１を装着し、印字部６側へ引き出し、反射センサ５を経てサーマルヘッド８およびプラテン９の間に挟持し、発行口１２を経て点字打刻装置３側に引出す。
図示省略の電源を投入すると、印字記録媒体２１を搬送しつつ識別マーク２９が反射センサ５により検出され、所定の位置に位置決めされる。
ＰＣ４０より所望の商品情報や食料品等の情報を入力し発行を指示すると、外部インタフェース３８を介して情報（商品・食品等のデータ）が印字装置２へ送られる。
印字装置２では、制御部７のＣＰＵ３１の制御下、印字データおよび点字データが生成される。
モータ１０が回転し、ベルト１１を介してモータ１０の回転がプラテン９に伝わり、プラテン９とサーマルヘッド８の間に挟持された印字記録媒体（記録媒体連続体）２１を搬送して記録基材本体２２の印字領域２８をサーマルヘッド８に位置決めするとともに、サーマルヘッド制御部３４を介してサーマルヘッド８に印字データを送り、印字記録媒体２１を搬送しながら「ラベル」としての記録基材本体２２表面の感熱発色層２５ａにサーマルヘッド８の熱を加えることにより印字領域２８に所望の情報を印字する。
印字記録媒体２１の搬送を続けて打刻部１３と打刻受け部１４の間に記録基材本体２２の点字領域２７を位置決めし（図２（ｂ））、点字領域２７に打刻する（図２（ａ））。すなわち、所望の打刻凸部１６のカム１８を選択的に駆動・回転させ、進退動バー１９を介して打刻凸部１６を印字記録媒体２１の台紙２４側（図２における下部側）から進出させて打刻受け凹部１７に押し付けることにより、台紙２４、第２の記録基材２６および変形補助基材２３を介して第１の記録基材２５に点字を打刻する。
所望の情報が表面側（図６における上部側）に印字装置２で印字され、かつ、所望の情報が点字打刻装置３にて点字で打刻された記録基材本体２２を、印字記録媒体２１の台紙２４より剥がし、「一葉のラベル」としての記録基材本体２２を得るようになっている。
【００２０】
図７は、商品・食品等の情報が印字され、かつ、点字が打刻された点字用の印字記録媒体２１を示す。なお、同図においては、点字領域２７を拡大して図示してある。
印字領域２８には、印字部６にて食料品情報（図示の例では、商品名「サトー牛乳」、加工方法「無添加低温滅菌」や価格「￥１３８円」などの商品情報）が印字され、かつ、点字領域２７には、点字打刻装置３にて「数符」である旨を示す点字用の凸部Ｔ１、および「数符」に続いて価格を示す「１３８」が刻印された凸部Ｔ２が形成されている。
【００２１】
上述したように、本実施の形態では、「ラベル」としての記録基材本体２２、より具体的には、第１の記録基材本体２５の表面の印字領域２８に所望の情報を印字できるとともに、点字領域２７の表面側に所望の情報を凸部（点字）Ｔ１、Ｔ２で表せるので、記録基材本体２２を台紙２４より剥離し、図示省略の被貼付物に貼付け・表示することにより晴眼者だけでなく、視覚障害者であっても内容を確認できる「ラべル」が作製されるものである。
なお、本実施の形態では、第１の記録基材本体２５の表面の全面にわたって感熱発色層２５ａが形成されているため、点字領域２７を含む全面が印字領域２８と成り得る。すなわち、印字装置２の印字部６にて第１の記録基材本体２５の表面に印字した後、点字打刻装置３にて点字領域２７に点字を施すため、バーコードを除く商品名などの情報は、凸部（点字）Ｔ１、Ｔ２が形成される点字領域２７に設けたとしても視認可能であり、記録基材本体２２の表面において点字用の凸部Ｔ１、Ｔ２と商品名などの「印字情報」との共存が全面の広い範囲で実現可能となるものである。
【００２２】
上述したように、第１の記録基材２５表面の印字領域２８に所望の情報を印字できるとともに、変形補助基材２３を介して第１の記録基材２５の点字領域２７に所望の情報を凸部（点字）Ｔ１、Ｔ２で表面側に突出・形成させるので、記録基材本体２２を台紙２４より剥離し、記録基材本体２２裏面の粘着剤層２６ａ、より詳しくは第２の記録基材２６裏面の粘着剤層２６ａを介して図示省略の被貼付物に貼付け・表示することにより晴眼者だけでなく、視覚障害者であっても内容を確認できるものである。
【００２３】
しかも、第１および第２の記録基材２５、２６の間に挟み込まれた変形補助基材２３が、不織布、ステンレス系樹脂などで作製されているため、打刻装置３の打刻凸部（ピン部）１６を介して打刻した際、打刻の圧力を効率よく第１の記録基材２５に伝達するとともに、打刻した際の凸部が元の平坦状に戻りにくいようになっており、第１の記録基材２５の表面に適正な高さの凸部（点字）Ｔ１、Ｔ２が形成できるものである。
【００２４】
次に、主に、図８および図９に基づき、第２の実施形態の印字記録媒体につき説明する。
なお、以下において、先の実施の形態と同様の部分は同一符号を付すに止め、詳説を省略する。
印字記録媒体４１は、記録基材本体４２と、変形補助基材４３と、台紙２４とを備える。
変形補助基材４３の表面（図９における上部側）には接着剤層４３ａが形成されるとともに、裏面（図９における下部側）には粘着剤層４３ｂが形成されており、前記記録基材本体４２裏面の幅方向Ｗの一部に、前記接着剤層４３ａを介して剥離不能に積層されている。
記録基材本体４２の表面は、図示省略のサーマルヘッドにより熱を加えると発色することにより所望の情報が印字可能な感熱発色層４２ａが表面の全面にわたって形成されるとともに、裏面に粘着剤層４２ｂが形成されている。
記録基材本体４２の表面側から見て、変形補助基材４３が積層された記録基材本体４２部分が点字領域４４であり、感熱発色層４２ａが形成された全面が印字領域４５である。
そして、変形補助基材４３が積層された記録基材本体４２は、変形補助基材４３裏面の粘着剤層４３ｂおよび記録基材本体４２裏面の粘着剤層４２ｂを介して台紙２４に仮着されている。
【００２５】
上述したように、「ラベル」としての記録基材本体４２の表面の印字領域４５に所望の印字を印字できるとともに、変形補助基材４３が積層された点字領域４４に所望の情報を凸部（点字）Ｔ１、Ｔ２で表面側に形成できるので、記録基材本体４２を台紙２４より剥離し、記録基材本体４２裏面の粘着剤層４２ｂおよび変形補助基材４３裏面の粘着剤層４３ｂを介して図示省略の被貼付物に貼付け・表示することにより晴眼者だけでなく、視覚障害者であっても内容を確認できる記録基材本体４２が作製可能なものである。
先の実施の形態の印字記録媒体２１が、変形補助基材２３を第１および第２の記録基材２５、２６の間に「サンドイッチ状」に挟み込んで形成されているのに対し、本実施の形態では、記録基材本体４２の裏面に変形補助基材４３を積層した状態で台紙２４に仮着した構成としたので、「基材」が少なく構成が簡単な分、材料費や製造・加工工程が少なくて済み、安価にできるものである。
【００２６】
また、先の実施形態の印字記録媒体２１が台紙２４、第２の記録基材２６、変形補助基材２３および第１の記録基材２５の四層構成であったのに対し、本実施の形態では、台紙２４、変形補助基材４３、および記録基材本体４２の三層構成としたため、台紙２４裏面より打刻凸部１６を突き上げて打刻する際、一層少ない分、変形補助部材４３を介した打刻の圧力が記録基材本体４２に効率よく伝達されるものであり、記録基材本体４２の表面に適正な高さの凸部（点字）Ｔ１、Ｔ２が形成できるものである。
その他の構成、作用、効果については、先の実施の形態とほぼ同一につき、重複説明を省略する。
【００２７】
次に、主に、図１０および図１１に基づき、第３の実施形態の印字記録媒体につき説明する。
なお、以下において、先の実施の形態と同様の部分は同一符号を付すに止め、詳説を省略する。
印字記録媒体５１は、記録基材本体５２と、変形補助基材５３と、ミシン目５４を備える。
記録基材本体５２の表面（図１１における上部側）は、全面にわたって感熱発色層５２ａが形成された印字領域５６となっており、また、裏面には、等間隔に検出マーク２９が印刷されるとともに、粘着剤層５２ｂが形成されている。
変形補助基材５３は、表面（図１１における上面部）に接着剤層５３ａが形成され、裏面は「基材」そのものの素材となっている。そして、変形補助基材５３は、前記接着剤層５３ａを介して記録基材本体５２の裏面の長手方向Ｌの一部に剥離不能に積層されており、変形補助基材５３が積層された部分は、点字領域５５となっている。なお、点字領域５５の周囲は、前記記録基材本体５２の粘着剤層５２ｂが露呈するようになっている。
すなわち、本実施の形態の印字記録媒体５１は、「台紙」が存在せず、記録基材本体５２の粘着剤層５２ｂが露呈する、いわゆる「台紙なしラベル連続体」であり、印字装置２にて感熱発色層５２ａに熱を加えて印字領域５６に商品等の情報を印字し、かつ、点字打刻装置３にて点字領域５５に凸部（点字）Ｔ１、Ｔ２（図７参照）を打刻したのち、ミシン目５４より切り離すと「一葉のラベル」が得られるものであり、記録基材本体５２裏面の粘着剤層５２ｂを介して図示省略の被貼付物に貼り付け・表示すると、晴眼者だけでなく、視覚障害者であっても内容を確認できるものである。
なお、変形補助基材５３の裏面には粘着剤層が形成されていないが、変形補助基材５３が積層されて形成された点字領域５５の周囲に記録基材本体５２の粘着剤層５２ｂが露呈しているため、この粘着剤層５２ｂにて貼り付け・表示が可能である。
本実施の形態においては、変形補助基材５３に対し直接、打刻凸部１６を当接させて突き上げるため、凸部（点字）Ｔ１、Ｔ２（図７）が打刻・形成し易いものである。
その他の構成、作用、効果については、先の実施の形態とほぼ同一につき、重複説明を省略する。
【００２８】
次に、主に、図１２および図１３に基づき、第４の実施形態の印字記録媒体につき説明する。
本実施の形態の印字記録媒体６１は、「リストバンド部材」としての記録基材本体６２が長尺状に連続して形成された「リストバンド連続体」である。
同図に示すように、印字記録媒体６１は、記録基材本体６２と、変形補助基材６３と、ミシン目６４とを備える。
記録基材本体６２には、「ミシン目」または「ハーフカット」により形成された切離し部６５が設けられており、切離し部６５に沿って切り離すと、表示部６６およびバンド部６７が切り離されて「リストバンド」が得られるようになっている。表示部６６の表面は、全面にわたって感熱発色層６６ａが形成された印字領域６９となっており、また、裏面には、等間隔に検出マーク２９が印刷されている。
変形補助基材６３は、裏面（図１３における下面部）に接着剤層６３ａが形成され、この接着剤層６３ａを介して記録基材本体６２の表面の一部に剥離不能に積層されており、この変形補助基材６３の貼り付けられた範囲が点字領域６８とされている。
上記記録基材本体６２は、印字装置２にて感熱発色層６６ａに熱を加えて印字領域６９に患者コードや患者氏名などを印字し、かつ、点字打刻装置３にて点字領域６８に凸部（点字）Ｔ１、Ｔ２（図７参照）を打刻したのち、ミシン目６４より切り離すと一葉の記録基材本体６２が得られるものであり、さらに、切離し部６５に沿って切り離すと、１つの「リストバンド」が得られるものであり、この「リストバンド」は、患者等の身体（手首や足首）に取り付けが可能である。
上記記録基材本体６２より切り離された「リストバンド」には、点字および目視可能に印字された文字や符号などにより患者コードや患者氏名などの情報が表示されるため、晴眼者だけでなく、視覚障害者であっても内容を確認できるものであり、視覚障害のある患者や視覚障害者が勤務することが多い針灸師などでも情報の確認が可能となる。
また、変形補助基材６３が記録基材本体６２の表面に積層されており、裏面が平坦となるため「リストバンド」として人の手首等に巻き付けたとしても、肌に刺激を与えて肌を荒らす恐れが少ないものである。
さらに、変形補助基材６３が記録基材本体６２の表面に段差をもって積層されているため、点字領域６８が判別し易いものである。
その他の構成、作用、効果については、先の実施の形態とほぼ同一につき、重複説明を省略する。
【００２９】
なお、上記実施の形態の構成及び動作は例であって、本発明の趣旨を逸脱しない範囲で適宜変更することができることは言うまでもない。
【００３０】
例えば、説明の都合上、進退動手段１５はカム１８と進退動バー１９により構成され、カム１８を回転させることにより進退動バー１９を介して打刻凸部１６を進退動させる例で説明したが、これに限定されないことは勿論であり、ソレノイドを用いて進退動させるようにしてもよい。
【００３１】
また、感熱発色層は、記録基材本体の表面の全面にわって設けた例で説明したがこれに限定されないことは勿論であり、記録基材本体の表面において、点字領域と印字領域とを厳密に区画・形成し、印字領域のみに感熱発色剤層を形成するようにしても構わない。点字領域と印字領域とを厳密に区画・形成すれば、点字が凸部で打刻された点字領域と、目視可能な文字や絵などが印字された印字領域とが重なることがないため、印字の情報がより見易いものである。
【００３２】
また、記録基材本体６２の表面に変形補助基材６３を積層した実施の形態は、「リストバンド」に用いた場合で説明したがこれに限定されないことは勿論であり、例えば、「ラベル」としての記録基材本体５２の表面に変形補助基材５３を積層した場合、記録基材本体５２の裏面に変形補助基材５３がない分、裏面が平坦となるため、被貼付物への貼り付け・表示が容易、かつ、確実となるものである。
【符号の説明】
【００３３】
Ｔ１、Ｔ２  凸部（点字）
Ｌ    長手方向
Ｗ    幅方向
１    印字記録媒体の作製装置
２    印字装置
３    点字打刻装置
４    供給手段（供給軸）
５    位置検出手段（反射センサ）
５ａ  発光部
５ｂ  受光部
６    印字手段（印字部）
７    制御手段（制御部）
８    サーマルヘッド
９    プラテンローラ（プラテン）
１０  ステッピングモータ（モータ）
１１  ベルト
１２  発行口
１３  打刻部
１４  打刻受け部
１５  進退動手段（進退動部）
１６  打刻凸部（ピン部）
１７  打刻受け凹部
１８  カム
１９  進退動バー
２１    印字記録媒体（記録媒体連続体）（第１の実施の形態）
２２    記録基材本体
２３    変形補助基材
２４    台紙
２５    第１の記録基材
２５ａ  感熱発色層
２５ｂ  接着剤層
２６    第２の記録基材
２６ａ  粘着剤層
２７    点字領域
２８    印字領域
２９    識別マーク
３１  ＣＰＵ
３２  ＲＯＭ
３３  ＲＡＭ
３４  サーマルヘッド制御部
３５  センサ制御部
３６  モータ制御部
３７  点字打刻制御部
３８  外部インタフェース（外部Ｉ／Ｆ）
３９  バス
４０  外部機器（ＰＣ）
４１    印字記録媒体（記録媒体連続体）（第２の実施の形態）
４２    記録基材本体
４２ａ  感熱発色層
４２ｂ  粘着剤層
４３    変形補助基材
４３ａ  接着剤層
４３ｂ  粘着剤層
４４    点字領域
４５    印字領域
５１    印字記録媒体（台紙なしラベル連続体）（第３の実施の形態）
５２    記録基材本体
５２ａ  感熱発色層
５２ｂ  粘着剤層
５３    変形補助基材
５３ａ  接着剤層
５４    ミシン目
５５    点字領域
５６    印字領域
６１    印字記録媒体（リストバンド連続体）（第４の実施の形態）
６２    記録基材本体（リストバンド部材）
６３    変形補助基材
６３ａ  接着剤層
６４    ミシン目
６５    切離し部
６６    表示部
６６ａ  感熱発色層
６７    バンド部
６８    点字領域
６９    印字領域
【図１】
2013215948.tif 000003
【図２】
2013215948.tif 000004
【図３】
2013215948.tif 000005
【図４】
2013215948.tif 000006
【図５】
2013215948.tif 000007
【図６】
2013215948.tif 000008
【図７】
2013215948.tif 000009
【図８】
2013215948.tif 000010
【図９】
2013215948.tif 000011
【図１０】
2013215948.tif 000012
【図１１】
2013215948.tif 000013
【図１２】
2013215948.tif 000014
【図１３】
2013215948.tif 000015